(57)【要約】【課題】本発明は、冷蔵庫に関するもので、扉の開閉に伴う熱エネルギー損失またはその近似値を判定し、冷蔵庫の表示装置や、通信機能を用た宅内端末や宅外端末にて、使用者に情報を提供するものである。従来、扉の開閉に関する情報は、開閉回数と開いている時間のみであり、食品のダメージや電気料金に直接影響する熱エネルギー損失による判定情報を表示できなかった。【解決手段】扉の開閉と扉の開く時間と庫内外温度差と扉の開き度を検出する機能と扉の係数より、扉の開閉に伴う熱エネルギー損失の近似値を、容易に演算する手段とした。【選択図】  図１
2004177066.tif 000002
【特許請求の範囲】
【請求項１】
複数の扉から構成される冷蔵庫において、該扉の開閉に伴う熱エネルギー損失または該熱エネルギー損失の近似値を計測する機能と、該熱エネルギー損失または該熱エネルギー損失の近似値を判断する機能と、該判定結果を表示する機能を備えることを特徴とする冷蔵庫。
【請求項２】
請求項１に記載の冷蔵庫において、該扉の開閉に伴う該熱エネルギー損失の近似値を求める手段として、該扉の開閉を検出する機能と、該扉が開いている時間を計測する機能を設け、該扉の係数と、該扉の開いている時間より、演算する手段を備えることを特徴とする冷蔵庫。
【請求項３】
請求項１乃至２の何れかに記載の冷蔵庫において、該扉の開閉に伴う該熱エネルギー損失の近似値を求める手段として、該扉の庫内温度と該庫外温度を測定する機能を設け、該扉の係数と、該扉の開いている時間と、該庫内温度と該庫外温度の温度差より、演算する手段を備えることを特徴とする冷蔵庫。
【請求項４】
請求項１乃至３の何れかに記載の冷蔵庫において、該扉の開閉に伴う該熱エネルギー損失の近似値を求める手段として、該扉の開いている度合いを検出する機能を設け、該扉の係数と、該扉の開いている時間と、該庫内温度と該庫外温度の温度差と、該扉の開いている度合いより、演算する手段を備えることを特徴とする冷蔵庫。
【請求項５】
請求項１乃至４の何れかに記載の冷蔵庫において、該扉の開閉に伴う該熱エネルギー損失の近似値を演算し、該冷蔵庫全体の該扉の開閉に伴う該熱エネルギー損失の合計の近似値を求める手段を備えることを特徴とする冷蔵庫。
【請求項６】
請求項１乃至５の何れかに記載の冷蔵庫において、該扉の開閉に伴う情報や該熱エネルギー損失の近似値を、エネルギーの単位以外の近似値表現で表示する機能を備えることを特徴とする冷蔵庫。
【請求項７】
請求項１乃至６の何れかに記載の冷蔵庫において、該扉の開閉に伴う情報や該熱エネルギー損失の近似値を、通信機能を用いて他の機器に通知する機能を備えることを特徴とする冷蔵庫。
【発明の詳細な説明】
【０００１】
【発明の属する技術分野】
本発明は、冷蔵庫の扉の開閉に伴う冷気の漏れを熱エネルギーの損失として把握し、使用者に知らせることにより、省エネを促進させ、かつ、食品のダメージを少なくするものである。
【０００２】
【従来の技術】
冷蔵庫の扉の開閉回数をカウントしたり、扉の開閉時間を測定し、その測定結果と内部で持つ判定基準との比較から、適切なアドバイスを使用者に知らせるものがあり、特許文献１（特開２００２−１４７９３０号公報）に開示されている。
【０００３】
【特許文献１】
特開２００２−１４７９３０号公報
【０００４】
【発明が解決しようとする課題】
しかしながら、特許文献１で開示されている技術では、扉の開閉回数と開閉時間をそれぞれの判定基準で判定するが、電気エネルギーの損失や食品へのダメージは、扉の開閉回数や開閉時間のみで決まるものではなく、扉の開閉に伴う冷気の漏れ、即ち、熱エネルギーの損失によって決まるものである。
【０００５】
しかし、扉の開閉に伴う熱エネルギー損失を正確に測定するには、高価な計測器と複雑な計算を行う高価な計算機が必要である。
【０００６】
また、前記発明では、表示機能の制約によりアドバイスの内容が的確に伝わらせることができないため、具体的にどの程度の損失が発生しているのか判断することができないため、省エネをどのように実行するかの判断ができなかった。
【０００７】
また、前記発明では、使用者が冷蔵庫の近くにいなければ、アドバイスすることができなかった。
【０００８】
本発明は、上記問題を解決するためのものであり、扉の開閉に伴う熱エネルギーの損失という観点からの判定を、近似値を用いて安価で簡単に判定することにより、冷蔵庫の省エネを図り、かつ、食品のダメージを少なくするものである。また、通信機能を用い、省エネの行動指針を理解しやすい形で提供したり、宅内または宅外に設置された端末を活用して警告を発するものである。
【０００９】
【課題を解決するための手段】
（１）本発明は、冷蔵庫の扉の開閉に伴う熱エネルギー損失または熱エネルギー損失の近似値を計測する機能と、これを判断する機能と、判定結果を表示する機能を備え、使用者に情報を提供することにより、省エネを促進させ、食品へのダメージを低減する手段を備えるものである。
（２）本発明は、冷蔵庫の扉の開閉に伴う熱エネルギー損失の近似値を求める手段として、扉の開閉を検出する機能と、扉が開いている時間を計測する機能を設け、扉の係数と、扉の開いている時間より、演算する手段を備えるものである。
（３）本発明は、冷蔵庫の扉の開閉に伴う熱エネルギー損失の近似値を求める手段として、庫内温度と庫外温度を測定する機能を設け、扉の係数と、扉の開いている時間と、庫内温度と庫外温度の温度差より、演算する手段を備えるものである。
（４）本発明は、冷蔵庫の扉の開閉に伴う熱エネルギー損失の近似値を求める手段として、扉の開いている度合いを検出する機能を設け、扉の係数と、扉の開いている時間と、庫内温度と庫外温度の温度差と、扉の開いている度合いより、演算する手段を備えるものである。
（５）本発明は、冷蔵庫の各部屋の扉の開閉に伴う熱エネルギー損失の近似値を演算し、冷蔵庫全体の扉の開閉に伴う熱エネルギー損失の近似値を求める手段を備えるものである。
（６）本発明は、演算された扉の開閉に伴う情報や熱エネルギー損失の近似値を、使用者に理解しやすい表現で提示する手段を備えるものである。
（７）本発明は、演算された扉の開閉に伴う情報や熱エネルギー損失の近似値を、通信機能を用いて他の機器に通知し、適切なアドバイスを使用者に提供する手段を備えるものである。
【００１０】
【発明の実施の形態】
以下、本発明の詳細を図面にしたがって説明する。
【００１１】
図１は本発明の基本説明図である。図２は本発明の回路構成の説明図である。図３は本発明の扉開度検出器の位置の説明図である。図４及び図５は本発明の回転式扉の検出器の説明図である。図６及び図７は本発明の引き出し式扉の検出器の説明図である。図８は本発明の扉番号と扉開閉係数と扉係数の表である。図９は本発明の回転式扉の角度と扉開度係数の表である。図１０は本発明の引き出し式扉の引出率と扉開度係数の表である。図１１は扉の開閉に伴う各種データの表である。図１２は扉の連続開閉時間である。図１３は扉の連続開閉の規定時間である。図１４はエネルギーと電気料金の換算表である。図１５は熱エネルギー損失の近似値を求めるフローチャート図である。図１６はタイマ割り込みのフローチャート図である。図１７は扉開放警告タスクのフローチャート図である。図１８は安否警告タスクのフローチャート図である。
【００１２】
図１により本発明の基本を説明する。
【００１３】
本発明は冷蔵庫本体１であり、複数の扉２、３と表示装置４から構成されている。冷蔵庫１は、有線または無線による伝送メディア５を介して宅内端末６と通信することができる。また、同じく伝送メディア５とゲートウェイ７を介して宅外端末８と通信することができる。
【００１４】
扉の開閉に伴う熱エネルギー損失ｅｎの近似値を判定する方法を説明する。
【００１５】
扉の開閉に伴う熱エネルギー損失ｅｎを厳密に求めるには、非常に複雑で高価な検出装置と複雑な計算が必要になる。しかし、近似値であれば、比較的簡単で安価な検出装置と簡単な計算で求めることができる。熱エネルギー損失ｅｎは、扉を開閉に伴う庫内と庫外の空気の交換量と、庫内と庫外の温度差によって求められる。
【００１６】
第一に、扉を開くことによって、庫外の空気が庫内に流入する。また、扉を閉めることによって、庫内の空気が庫外に放出される。この空気の流入と流出によって熱エネルギー損失が発生する。これを「扉開閉係数ｋｏｎ」として定める。扉が大きい場合、交換される空気の量は大きくなるので、ｋｏｎは扉の大きさに影響される。
【００１７】
第二に、扉が開いた状態において、庫内の空気が庫外に放出すると同時に、庫外の空気が庫内に流入する。庫内と庫外の空気が交換される量は、扉の構造と、開口部の面積と、開いている時間によって決まる。開口部の面積は、扉の大きさと扉の開き度によって決まる。一般的に冷蔵庫の扉は、回転式の扉と引き出し式の２種類の構造を持つ。回転式の扉の場合、扉の開く角度によって「扉開度係数ｐｎ」を求める。引き出し式の扉の場合、扉の引き出し量によって「扉開度係数ｐｎ」を求める。また、扉の大きさと構造によって開口部の面積が左右される。これを「扉係数ｋｋｎ」とする。ｋｋｎは、扉の構造や大きさに左右される値である。扉が開いている時間を「扉開時間ｔｎ」とする。
【００１８】
第三に、同じ量の空気が交換されても、庫内と庫外の温度差が大きい方が損失するエネルギー量が大きい。庫内の温度をｔｉとし、庫外の温度をｔｅとし、その温度差を「庫内外温度差ｔｄ」とする。
【００１９】
これらの値を測定することにより、扉の開閉に伴う熱エネルギー損失ｅｎの近似値は次の式を演算することで求めることができる。
【００２０】
ｔｄ＝ｔｅ−ｔｉ  ・・・（１）
ｅｎ≒（ｋｏｎ＋ｔｎ×ｐｎ）×ｋｋｎ×ｔｄ  ・・・（２）
しかし（２）式で得られた近似値はエネルギーの近似値であり、単位は積算電力を示すワットアワー（Ｗｈ）、または、熱エネルギーを示すジュール（Ｊ）である。一般的な生活では、ワットアワーやジュールといった単位は使用しないため、このような単位で表示を行っても、理解するのは困難である。
【００２１】
そこで、直接エネルギーを示す単位ではないが、一般的に理解しやすい表現である電気料金に換算し、これを表示する。しかし、電気料金は使用積算量によって段階的に単価が変化したり、契約体系や、時期によっても変動する。従って、正確な料金を算出するには、複雑な設定や家庭全体の積算電力を計測する機能が必要になる。
【００２２】
そこで、電気料金を「目安」として「約ＸＸ円」等と表示し、近似値であり、正確な値でないことを示す。正確な熱エネルギー損失値や正確な電気料金が不明であっても、熱エネルギー損失が大きくなれば、電気料金が高くなることは容易に理解することができる。この方法により、高価で複雑なシステムを使用せずに、容易に使用者に扉を開ける時間を短くするなどの省エネ行動を起こすことが可能である。
【００２３】
電力量単位の料金の係数をｋｙとすると、電気料金ｒｙｏの近似値は、次の式で求められる。
【００２４】
ｒｙｏ≒ｋｙ×ｅｎ  ・・・（３）
冷蔵庫１には、庫外温度ｔｅを検出する庫外温度検出器１０４と、時計機能１０３と、各扉に開閉を検出する扉開閉検出器１０５と庫内の温度ｔｉを検出する庫内温度検出器１０６と扉の開き度を検出する扉開度検出器１０７を持つ。また、時間を測定する機能や演算を行う機能を持つ。
【００２５】
扉開閉検出器１０５は、扉開度検出器１０７がその機能を兼用する場合もある。また、庫内温度検出器１０６を用いずに、予め設定された値を揮発性記憶装置１０１または不揮発性記憶装置１０２に持たせる場合もある。
【００２６】
各検出器によって得られた値や熱エネルギー損失ｅｎの近似値などは、扉が開いた扉開時刻ｔｍと共に、揮発性記憶装置１０１に保存し、データ処理を行い、表示装置４に表示する。表示装置４は、画面表示による文字や画像によるメッセージや、音声信号によるメッセージにより、使用者に適切なアドバイスを使用者に提供する。
【００２７】
表示装置４に高精細で大きな画面表示機能を持たせれば、細かなアドバイスを使用者に提供することができる。しかし、このような表示機能は非常に高価である。また、使用者が冷蔵庫本体の近くに居なければ、そのアドバイスを受けることができない。
【００２８】
そこで、宅内端末６や宅外端末８として、ＰＣやＰＤＡや携帯電話などの情報機器を用いる。情報機器にデータを通信することにより、どこに居ても、細かなアドバイスを使用者に提供する。通信装置１０８を備え、伝送メディア５やゲートウェイ７を介して宅内端末６や宅外端末８とのデータ通信を行う。伝送メディア５としては、電灯線搬送方式による有線方式や、特定小電力無線・Ｂｌｕｅｔｏｏｔｈ無線による無線方式など色々な方式がある。また情報の形式としては、ＥＣＨＯＮＥＴによるものや、ＴＣＰ／ＩＰによるものなどがある。なお、ここで示した方式は、本発明を実現する方法の１つの手段であり、限定されるものではない。
【００２９】
図２により、本発明による冷蔵庫の内部構成図の例を示す。
【００３０】
冷蔵庫１の内部には、各種の演算や制御を行うＣＰＵ１００に、揮発性記憶装置１０１と、不揮発性記憶装置１０２と、時計機能１０３と、庫外温度検出器１０４と、扉開閉検出器１０５と、庫内温度検出器１０６と、扉開度検出器１０７と、通信装置１０８と表示装置４が接続されている。
【００３１】
ＣＰＵ１００は必要に応じて１個または、機能を分割して複数備える。また、揮発性記憶装置１０１と、不揮発性記憶装置１０２は、必要に応じてＣＰＵ１００の内部に備える。
【００３２】
ＣＰＵ１００の機能により、各検出器のデータを取得したり、各記憶装置のデータをアクセスしたり、演算したり、表示したり、通信を行う。
【００３３】
図３により、本発明による扉開度検出器１０７の設置例を示す。
【００３４】
一般的に冷蔵庫の扉は、回転式の扉と引き出し式の２種類の構造を持つ。回転式の扉の場合、扉開度検出器１０７は、ヒンジ機構２００に設置する。引き出し式の扉の場合、扉開度検出器１０７は、扉のスライド機構２０１に設置する。
【００３５】
なお、ここで示した方式は、本発明を実現する方法の１つの手段であり、限定されるものではない。扉の形式や形状に応じ、最も適した扉開度検出器１０７の設置を行う。
【００３６】
図４により、本発明による回転式の扉２の扉開度検出器１０７の構成例の１例を示す。
【００３７】
扉の回転軸２０２の周囲に抵抗体２０３を配置する。回転軸２０２には摺動子２０４を取り付け、抵抗体２０３と接触させる。端子Ａ及び端子Ｂに電圧を印加し、端子Ｃの電圧を測定することにより、扉の回転角を測定することができる。
【００３８】
図５により、本発明による回転式の扉２の扉開度検出器１０７の構成例のもう１つの例を示す。
【００３９】
扉の回転軸２０２に円盤２０５を固定する。円盤２０５には、回転角に応じて反射光の量を変化するパターンを印刷する。発光素子２０６により出力された光が円盤２０５に当たり、反射する。反射光を受光素子２０７により測定することにより、扉の回転角を測定することができる。
【００４０】
図６により、本発明による引き出し式の扉３の扉開度検出器１０７の構成例の１例を示す。
【００４１】
冷蔵庫本体に抵抗体２０８と導体２０９を配置する。引き出し式の扉３には摺動子２１０を取り付け、抵抗体２０８と導体２０９に接触させる。端子Ａ及び端子Ｂに電圧を印加し、端子Ｃの電圧を測定することにより、扉の引出率を測定することができる。
【００４２】
図７により、本発明による引き出し式の扉３の扉開度検出器１０７の構成例のもう１つの例を示す。
【００４３】
引き出し式の扉３に、引出率に応じて反射光の量を変化するパターンを印刷した反射板２１１を固定する。発光素子２０６により出力された光が反射板２１１に当たり、反射する。反射光を受光素子２０７により測定することにより、扉の引出率を測定することができる。
【００４４】
図４から図７に示した扉開度検出器１０７の構成は、本発明による１実施例である。検出手段として、磁気を使用したものや、検出結果をアナログ量でなく、ディジタル値として得る方法などが考えられる。ここで示した方式は、本発明を実現する方法の１つの手段であり、限定されるものではない。
【００４５】
図８は本発明の扉番号と扉開閉係数と扉係数の表の１実施例である。
【００４６】
扉の大きさや方式や形状によって、扉開閉係数ｋｏｎと扉係数ｋｋｎは異なる。これらの値は、シミュレーションや実験により決定し、不揮発性記憶装置１０２に設定する。
【００４７】
図９は本発明の回転式扉場合の角度と扉開度係数３０２の１実施例の表である。
【００４８】
扉の開き係数を扉の回転角度から求める変換表であり、シミュレーションや実験により決定し、不揮発性記憶装置１０２に設定する。
【００４９】
図１０は本発明の引き出し式扉の引出率と扉開度係数３０２の１実施例の表である。扉の開き係数を扉の引き出し率から求める変換表であり、シミュレーションや実験により決定し、不揮発性記憶装置１０２に設定する。
【００５０】
図１１は扉の開閉に伴う各種データの表１の実施例である。
【００５１】
これらのデータは揮発性記憶装置１０１に保持し、必要に応じてデータを整理する。保持するデータの内容としては、扉開時刻３０３、扉の番号、扉開時間３０４、扉開度係数３０２、庫外温度３０５、庫内外温度差３０６、熱エネルギー損失３０７などがある。必要に応じて、保持するデータの種類を増減する。
【００５２】
図１２は扉の連続開閉時間の表の１実施例である。
【００５３】
連続して扉が開いている時間と、連続して扉が閉じている時間を、揮発性記憶装置１０１に保持する。
【００５４】
図１３は扉の連続開閉の規定時間の１実施例である。
【００５５】
連続して扉が開いている時間の規定時間と、連続して扉が閉じている時間の規定時間を、不揮発性記憶装置１０２に保持する。
【００５６】
図１４はエネルギーと電気料金の換算表の１実施例である。
【００５７】
エネルギー単位当たりの電気料金は、積算電力量や料金体系や時期によって変動するが、使用者に表示するのは目安であるので、積算電力量などによって変更はしない。初期値を不揮発性記憶装置１０２に持ち、揮発性記憶装置１０１に複写し、これを用いて演算する。揮発性記憶装置１０１に書き込まれた値は、使用者によって書き替えたり、通信装置１０８を用いて外部から書き替え可能とする。
【００５８】
図１５は熱エネルギー損失の近似値ｅｎ及び電気料金の近似値ｒｙｏを求めるフローチャート図の１実施例である。
【００５９】
扉ｎが開いたことを扉開閉検出器１０５によって検出する。検出と同時に開いている時間である扉開時間ｔｎを測定する。この時、扉開度検出器１０７を用いて、扉の回転角または扉の引き出し率を計測する。また、庫内温度検出器１０６と庫外温度検出器１０４を用いて温度を測定する。
【００６０】
次に、扉ｎが閉じたことを扉開閉検出器１０５によって検出する。検出することにより、扉開時間ｔｎの計測を終了する。
【００６１】
扉の番号と扉の回転角または扉の引き出し率より、図９または図１０に示す表より、扉開度係数ｋｎを求める。扉開時間ｔｎと乗算を行い、ｔｎ×ｋｎを演算する。
【００６２】
扉の番号より、図８に示す表より、扉開閉係数ｋｏｎを求める。次にｋｏｎ＋ｔｎ×ｋｎを演算する。
【００６３】
扉の番号より、図８に示す表より、扉係数ｋｋｎを求める。
【００６４】
庫内温度検出器１０６より計測された庫内温度ｔｉと庫外温度検出器１０４より計測された庫外温度ｔｅより、庫内外温度差ｔｄを演算する。
【００６５】
扉係数ｋｋｎ、庫内外温度差ｔｄを用いて、熱エネルギー損失ｅｎの近似値（ｋｏｎ＋ｔｎ×ｋｎ）×ｋｋｎ×ｔｄを求める。これらのデータのうち、必要なものを図１１に示すように揮発性記憶装置１０１に保存する。
【００６６】
熱エネルギー損失ｅｎの近似値と図１４の表に示すエネルギー単位当たりの電気料金の係数ｋｙより、電気料金ｒｙｏの近似値をｒｙ×ｅｎによって求める。
【００６７】
電気料金ｒｙｏの近似値やその他のデータは表示装置４を用いて表示する。
【００６８】
また、通信装置１０８を用いて、伝送メディア５を介して宅内端末６や、ゲートウェイ７経由で宅外端末８に表示を行う。
【００６９】
冷蔵庫全体の熱エネルギー損失ｅｎの近似値の合計は、各扉の開閉に伴う熱エネルギー損失ｅｎの近似値を合計することによって得ることができる。
【００７０】
図１６はタイマ割り込みのフローチャート図の１実施例である。
【００７１】
タイマ割り込みは、一定間隔で割り込み処理を行い、必要に応じてタスクを起動する。使用者が扉を開いた場合、連続して扉を閉めている時間を示す連続閉時間ｃｔｃを０にし、連続して扉を開いている時間を示す連続開時間ｃｔｏをカウントアップする。連続開時間ｃｔｏが連続開規定時間ｃｔｏｒを超えた場合、使用者が扉を開放したままと判定して、扉開放警告タスクを起動する。
【００７２】
冷蔵庫は一般的に毎日使用する機器である。従って旅行などで長期間不在になる場合を除いて、１日に１度は扉を開く使い方をするのが普通である。もし、扉をある時間以上閉じたまま、もしくは、開いたままであれば、使用者に不具合が生じている可能性がある。
【００７３】
使用者が扉を閉じた場合、連続開時間ｃｔｏを０にし、連続閉時間ｃｔｃをカウントアップする。連続閉時間ｃｔｃが連続閉規定時間ｃｔｃを超えた場合、安否警告タスクを起動する。また、使用者が扉を連続閉規定時間ｃｔｃ以上に開いた場合でも、安否警告タスクを起動する。
【００７４】
図１７は扉開放警告タスクのフローチャート図の１実施例である。
【００７５】
タイマ割り込みによって起動された扉開放警告タスクは、表示装置４に画像や音声で警告を出す。また、通信装置１０８を介して、宅内端末６や宅外端末８に扉開放警告を通信する。使用者は宅内端末６や宅外端末８によって扉が開いたままであることを認識する。
【００７６】
図１８は安否警告タスクのフローチャート図の１実施例である。
【００７７】
タイマ割り込みによって起動された安否警告タスクは、表示装置４に画像や音声で警告を出す。また、通信装置１０８を介して、宅内端末６や宅外端末８に安否警告を通信する。使用者は宅内端末６や宅外端末８によって扉が閉じたままか、開いたままであることを認識する。
【００７８】
【発明の効果】
本発明によれば、扉の開閉に伴う熱エネルギーの損失という観点からの判定を、近似値を用いて安価で簡単に判定することにより、冷蔵庫の省エネを図り、かつ、食品のダメージを少なくすることができる。また、通信機能を用い、省エネの行動指針を理解しやすい形で提供したり、宅内または宅外に設置された端末を活用して警告を発することができる。
【図面の簡単な説明】
【図１】本発明の基本説明図である。
【図２】本発明の回路構成の説明図である。
【図３】本発明の扉開度検出器の位置の説明図である。
【図４】本発明の回転式扉の検出器の説明図である。
【図５】本発明の回転式扉の検出器の説明図である。
【図６】本発明の引き出し式扉の検出器の説明図である。
【図７】本発明の引き出し式扉の検出器の説明図である。
【図８】本発明の扉番号と扉開閉係数と扉係数の表である。
【図９】本発明の回転式扉の角度と扉開度係数の表である。
【図１０】本発明の引き出し式扉の引出率と扉開度係数の表である。
【図１１】扉の開閉に伴う各種データの表である。
【図１２】扉の連続開閉時間である。
【図１３】扉の連続開閉の規定時間である。
【図１４】エネルギーと電気料金の換算表である。
【図１５】熱エネルギー損失の近似値を求めるフローチャート図である。
【図１６】タイマ割り込みのフローチャート図である。
【図１７】扉開放警告タスクのフローチャート図である。
【図１８】安否警告タスクのフローチャート図である。
【符号の説明】
１…冷蔵庫、２…回転式扉、３…引き出し式扉、４…表示装置、５…伝送メディア、６…宅内端末、７…ゲートウェイ、８…宅外端末、１００…ＣＰＵ、１０１…揮発性記憶装置、１０２…不揮発性記憶装置、１０３…時計機能、１０４…庫外温度検出器、１０５…扉開閉検出器、１０６…扉開度検出器、１０７…庫内温度検出器、２００…ヒンジ機構、２０１…スライド機構、２０２…回転軸、２０３…抵抗体、２０４…摺動子、２０５…円盤、２０６…発光素子、２０７…受光素子、２０８…抵抗体、２０９…導体、２１０…摺動子、２１１…反射板、３００…扉開閉係数、３０１…扉係数、３０２…扉開度係数、３０３…扉開時刻、３０４…扉開時間、３０５…庫外温度、３０６…庫内外温度差、３０７…熱エネルギー損失、３０８…連続時間、３０９…連続規定時間、３１０…単位料金、４０１〜４１８…熱エネルギー損失近似値演算動作ステップ、５０１〜５１０…タイマ割り込み動作ステップ、６０１〜６０２…扉開放警告タスク動作ステップ、７０１〜７０２…安否警告タスク動作ステップ。
【図１】
2004177066.tif 000003
【図２】
2004177066.tif 000004
【図３】
2004177066.tif 000005
【図４】
2004177066.tif 000006
【図５】
2004177066.tif 000007
【図６】
2004177066.tif 000008
【図７】
2004177066.tif 000009
【図８】
2004177066.tif 000010
【図９】
2004177066.tif 000011
【図１０】
2004177066.tif 000012
【図１１】
2004177066.tif 000013
【図１２】
2004177066.tif 000014
【図１３】
2004177066.tif 000015
【図１４】
2004177066.tif 000016
【図１５】
2004177066.tif 000017
【図１６】
2004177066.tif 000018
【図１７】
2004177066.tif 000019
【図１８】
2004177066.tif 000020